(57)【要約】【課題】印字文字を選択する際の回転節度を、作業者の指に伝わる節度感としてより向上させ、選択ホイールの回転を適正に停止可能で、かつその操作性を向上させることができる印字器の印字選択装置を提供する。【解決手段】つまみ２０の側面部に複数個の節度用係脱部（節度用係脱凹部２４）を形成することに着目し、操作部材１２は、回転操作可能なつまみ２０と、つまみ２０により操作可能で選択ホイールの内周係合溝に係合して選択ホイールを回転駆動可能とする駆動突起２５を設けたつまみシャフト２１と、つまみシャフト２１およびつまみ２０とは一体的に軸方向へ移動可能としたインジケーター２２と、を有するとともに、つまみ２０がつまみシャフト２１に対向するその側面部に複数個の節度用係脱部２４を形成し、節度用係脱部２４に係脱する節度用アーム３０をインジケーター２２に設けた。【選択図】図７
2015229299.tif 000002
【特許請求の範囲】
【請求項１】
印字器フレームと、
この印字器フレーム内において互いに隣り合わせに同軸的に重ね合わせて軸方向のまわりに回転可能とした選択ホイールと、
この軸方向においてこれらの選択ホイールのいずれかを選択するとともに、この選択したいずれかの選択ホイールをその軸のまわりに回転駆動して印字文字を選択可能な操作部材と、を有する印字器の印字選択装置であって、
前記操作部材は、
前記選択ホイールの前記軸方向に沿って移動操作可能であるとともに、前記選択ホイールの前記軸方向のまわりに回転操作可能なつまみと、
前記選択ホイール内において往復動可能および回転可能なようにこのつまみにより操作可能であるとともに、前記選択ホイールの内周係合溝に係合して前記選択ホイールを回転駆動可能とする駆動突起を設けたつまみシャフトと、
このつまみシャフトおよび前記つまみが相対的に回転可能に組み付けてあるとともに、前記選択ホイールの前記軸方向に延びて前記つまみシャフトおよび前記つまみとは一体的に前記軸方向へ移動可能としたインジケーターと、を有するとともに、
前記つまみが前記つまみシャフトに対向するその側面部に複数個の節度用係脱部を形成し、
この節度用係脱部に係脱する節度用アームを前記インジケーターに設けたことを特徴とする印字器の印字選択装置。
【請求項２】
前記インジケーターは、
前記つまみシャフトおよび前記つまみと前記選択ホイールの前記軸方向に一体的に移動可能であるとともに前記軸方向に延びる見出し枠を有することを特徴とする請求項１記載の印字器の印字選択装置。
【請求項３】
前記インジケーターは、
前記つまみと前記つまみシャフトとの間において前記つまみシャフトが相対的に回転可能に係合するとともに、前記節度用アームと一体に形成した組付け支持プレートを有することを特徴とする請求項１または２記載の印字器の印字選択装置。
【請求項４】
前記節度用アームは、
前記組付け支持プレートより前記つまみ側に位置しているとともに、前記組付け支持プレートが前記つまみシャフトから前記節度用アームを隔離していることを特徴とする請求項３記載の印字器の印字選択装置。
【請求項５】
前記節度用アームは、
前記節度用係脱部に係脱するその左右一対を設けていることを特徴とする請求項１ないし４のいずれかに記載の印字器の印字選択装置。
【請求項６】
前記つまみには、前記節度用係脱部を収容形成可能な側面内方収容空間を形成していることを特徴とする請求項１ないし５のいずれかに記載の印字器の印字選択装置。
【請求項７】
前記つまみと前記つまみシャフトとの間には、互いの係合を可能とするキーおよびキー溝を形成していることを特徴とする請求項１ないし６のいずれかに記載の印字器の印字選択装置。
【請求項８】
前記つまみシャフトには、前記つまみの前記選択ホイールの前記軸方向に沿った前記移動操作によりいずれかの前記選択ホイールを選択可能とする複数個の節度用凹部を形成していることを特徴とする請求項１ないし７のいずれかに記載の印字器の印字選択装置。
【発明の詳細な説明】
【技術分野】
【０００１】
本発明は印字器の印字選択装置にかかるもので、とくに携帯式ラベル印字貼付け機などに装着される印字器の印字選択装置に関するものである。
【背景技術】
【０００２】
従来の印字器の印字選択装置においては、印字器フレームと、操作部材と、同軸方向に互いに隣接して並べた複数個の選択ホイールと、各選択ホイールにそれぞれ係合しているとともにそれぞれ印字文字を有する複数の印字用エンドレスバンドあるいは活字ホイールなどの印字文字担持体と、を有している。
上記操作部材として、操作軸を設け、この操作軸を選択ホイールの軸方向に移動操作することにより、いずれかの選択ホイールを選択（列選択）して、いずれかの列ないし桁に位置している印字文字担持体を選択し（いわゆる、割出し操作）、さらに、操作軸を回転操作することにより印字文字担持体において必要な印字文字を選択（文字選択）するようにしている。
【０００３】
上記操作部材の軸方向の移動操作による選択ホイールの列（印字文字担持体の列）の割出し操作を行っている操作者の指にかかる割出し節度（列選択時の感覚ないし手応え）を明確に伝えるための軸方向節度機構、および、上記操作部材の回転方向の回転操作による印字文字担持体の印字文字を選択する際に操作者が指に感じる各印字文字ごとの回転節度（印字文字の一文字ごとの適正なセット状態、ないしセット状態の区別の手応え）を明確に伝えるための回転方向節度機構が必要とされている。
【０００４】
しかしながら、従来の印字選択装置においては、とくに上記回転方向節度機構による印字文字を選択する際のクリック感、回転節度ないし節度感が弱いと、印字文字を適正な選択位置に停止することが困難であり、このような節度感をさらに確実化したいとの要望がある。
また、印字文字の選択操作においてその操作性を向上させることも要望されている。
【先行技術文献】
【特許文献】
【０００５】
【特許文献１】特開２００９−２４１２９５号公報
【発明の概要】
【発明が解決しようとする課題】
【０００６】
本発明は以上のような諸問題にかんがみなされたもので、印字文字を選択する際の回転節度を、作業者の指に伝わる節度感としてより向上可能な印字器の印字選択装置を提供することを課題とする。
【０００７】
また本発明は、選択ホイールの回転にともなう印字文字の選択にあたり、選択ホイールの回転を適正に停止可能な印字器の印字選択装置を提供することを課題とする。
【０００８】
また本発明は、印字文字の選択操作においてその操作性を向上させることができる印字器の印字選択装置を提供することを課題とする。
【課題を解決するための手段】
【０００９】
すなわち本発明は、操作部材としてのつまみの側面部に複数個の節度用係脱部を形成することに着目したもので、印字器フレームと、この印字器フレーム内において互いに隣り合わせに同軸的に重ね合わせて軸方向のまわりに回転可能とした選択ホイールと、この軸方向においてこれらの選択ホイールのいずれかを選択するとともに、この選択したいずれかの選択ホイールをその軸のまわりに回転駆動して印字文字を選択可能な操作部材と、を有する印字器の印字選択装置であって、上記操作部材は、上記選択ホイールの上記軸方向に沿って移動操作可能であるとともに、上記選択ホイールの上記軸方向のまわりに回転操作可能なつまみと、上記選択ホイール内において往復動可能および回転可能なようにこのつまみにより操作可能であるとともに、上記選択ホイールの内周係合溝に係合して上記選択ホイールを回転駆動可能とする駆動突起を設けたつまみシャフトと、このつまみシャフトおよび上記つまみが相対的に回転可能に組み付けてあるとともに、上記選択ホイールの上記軸方向に延びて上記つまみシャフトおよび上記つまみとは一体的に上記軸方向へ移動可能としたインジケーターと、を有するとともに、上記つまみが上記つまみシャフトに対向するその側面部に複数個の節度用係脱部を形成し、この節度用係脱部に係脱する節度用アームを上記インジケーターに設けたことを特徴とする印字器の印字選択装置である。
【００１０】
上記インジケーターは、上記つまみシャフトおよび上記つまみと上記選択ホイールの上記軸方向に一体的に移動可能であるとともに上記軸方向に延びる見出し枠を有することができる。
【００１１】
上記インジケーターは、上記つまみと上記つまみシャフトとの間において上記つまみシャフトが相対的に回転可能に係合するとともに、上記節度用アームと一体に形成した組付け支持プレートを有することができる。
【００１２】
上記節度用アームは、上記組付け支持プレートより上記つまみ側に位置しているとともに、上記組付け支持プレートが上記つまみシャフトから上記節度用アームを隔離していることができる。
【００１３】
上記節度用アームは、上記節度用係脱部に係脱するその左右一対を設けていることができる。
【００１４】
上記つまみには、上記節度用係脱部を収容形成可能な側面内方収容空間を形成していることができる。
【００１５】
上記つまみと上記つまみシャフトとの間には、互いの係合を可能とするキーおよびキー溝を形成していることができる。
【００１６】
上記つまみシャフトには、上記つまみの上記選択ホイールの上記軸方向に沿った上記移動操作によりいずれかの上記選択ホイールを選択可能とする複数個の節度用凹部を形成していることができる。
【００１７】
上記印字文字担持体としては、印字文字の複数個をそのまわりにそれぞれ形成しているとともに、選択ホイールの外周係合溝にそれぞれ係合する複数の印字用エンドレスバンド、あるいは活字ホイールなどを採用することができる。
【発明の効果】
【００１８】
本発明による印字器の印字選択装置においては、操作部材としてのつまみの側面部に複数個の節度用係脱部を形成するとともに、この節度用係脱部に係脱する節度用アームをインジケーターに設けたので、作業者が自分の指で直接的に操作するつまみに印字文字の選択にともなう節度感をじかに発生させることが可能となり、節度感およびその操作性を向上させることができる。
【図面の簡単な説明】
【００１９】
【図１】本発明の実施例による印字器４の印字選択装置１１を装備した携帯式ラベル印字貼付け機１の側面図である。
【図２】同、印字器４の一部切欠き側面図である。
【図３】同、図２のＩＩＩ−ＩＩＩ線断面図である。
【図４】同、図３のＩＶ−ＩＶ線断面図である。
【図５】同、操作部材１２の分解側面図である。
【図６】同、つまみ２０側から見た操作部材１２の分解斜視図である。
【図７】同、つまみシャフト２１側から見た操作部材１２の分解斜視図である。
【図８】同、つまみシャフト２１側から見た操作部材１２の組立て斜視図である。
【図９】同、つまみシャフト２１側から見た操作部材１２の組立て側面図である。
【発明を実施するための形態】
【００２０】
本発明は、つまみの側面部に複数個の節度用係脱部を形成するとともに、この節度用係脱部に係脱する節度用アームをインジケーターに設けたので、印字文字の選択にともなう節度感をつまみに直接じかに発生させることが可能となり、節度感およびその操作性を向上可能な印字器の印字選択装置を実現した。
【実施例】
【００２１】
つぎに本発明の実施例による印字器の印字選択装置を図１ないし図９にもとづき説明する。
図１は、携帯式ラベル印字貼付け機１の側面図であって、携帯式ラベル印字貼付け機１は、ハンドル２に対して操作レバー３を握持および開放することにより、印字器４がインキローラー５と協働してラベル連続体６のラベル片７に所定の印字を行うとともに、このラベル片７を所定の物品（図示せず）に貼り付け可能としている。
【００２２】
図２は、印字器４の一部切欠き側面図であり、印字器４は、印字器フレーム８と、二列の印字用エンドレスバンド９と、必要に応じて着脱可能な固定情報印字用スタンプ１０と、を有する。
【００２３】
図３は、図２のＩＩＩ−ＩＩＩ線断面図、図４は、図３のＩＶ−ＩＶ線断面図である。
印字器４はさらに、本発明による印字選択装置１１と、印字選択用の操作部材１２（図３、図５ないし図９）と、印字器フレーム８内において互いに隣り合わせに同軸的に重ね合わせて軸方向のまわりに回転可能とした複数列（たとえば五列、図３）の選択ホイール１３と、印字受け台部兼用節度コマ１４（たとえば五列、図４）と、複数列（たとえば五列、図３）の上記印字用エンドレスバンド９と、節度用付勢部材１５（節度用コイルスプリング１６および左右一対のスチールボール１７、図２）と、を有する。
印字選択装置１１は、上記印字器フレーム８、操作部材１２、選択ホイール１３、印字受け台兼用節度コマ１４、印字用エンドレスバンド９（印字文字担持体）および節度用付勢部材１５などを有する。
【００２４】
印字器フレーム８は、その上部に見出し窓部１８を、その下部にインキローラー対向開口部１９をそれぞれ開口形成している。
インキローラー対向開口部１９において、印字用エンドレスバンド９の印字文字９Ａおよび固定情報印字用スタンプ１０に接触可能に前記インキローラー５が転動する。
【００２５】
操作部材１２は、選択ホイール１３の軸方向において選択ホイール１３のいずれかを選択するとともに、この選択したいずれかの選択ホイール１３をその軸のまわりに回転駆動して印字文字９Ａを選択可能とする。
操作部材１２は、とくに図３、図５ないし図７に示すように、印字器フレーム８の外部に位置するつまみ２０と、操作部材１２の中央部に位置する断面円筒状のつまみシャフト２１と、つまみシャフト２１につまみ２０とともに一体的に組み付け可能なインジケーター２２と、を有する。
選択ホイール１３は、印字器フレーム８内において互いに隣り合わせに同軸的に重ね合わせて軸方向のまわりに回転可能としている。
【００２６】
つぎに図５は、操作部材１２の分解側面図、図６は、つまみ２０側から見た操作部材１２の分解斜視図、図７は、つまみシャフト２１側から見た操作部材１２の分解斜視図、図８は、つまみシャフト２１側から見た操作部材１２の組立て斜視図、図９は、つまみシャフト２１側から見た操作部材１２の組立て側面図であって、とくに図７ないし図９に印字選択装置１１の要部構造を具体的に示している。
【００２７】
つまみ２０は、選択ホイール１３の軸方向に沿ってこれを移動操作可能であるとともに、選択ホイール１３の軸方向のまわりに回転操作可能である。
とくに図７に示すように、つまみ２０がつまみシャフト２１に対向するその側面部には、その周縁部を軸方向（つまみシャフト２１の方向）に立ち上げることによりその内側に側面内方収容空間２３を形成し、この側面内方収容空間２３内において複数個の節度用係脱凹部２４（節度用係脱部）を、同角度間隔でつまみ２０と同軸的に円周を描くように収容形成している。
【００２８】
つまみシャフト２１は、選択ホイール１３内において往復動可能および回転可能なようにつまみ２０により操作可能であるとともに、選択ホイール１３の内周係合溝１３Ａ（図４）に係合して選択ホイール１３を回転駆動可能とする駆動突起２５（図６）をその先端部近傍の円周表面に設けている。
つまみシャフト２１の外周部には、つまみ２０の軸方向に沿った移動操作によりいずれかの選択ホイール１３を選択可能とする複数個の節度用凹部２１Ａを形成してあり、いずれかの節度用凹部２１Ａに係脱する前記節度用付勢部材１５（節度用コイルスプリング１６およびスチールボール１７、図２）を印字器フレーム８に設けている。
つまみシャフト２１の節度用凹部２１Ａは、つまみシャフト２１において、選択ホイール１３のそれぞれに対応する位置、および選択ホイール１３の回転方向に沿ってこれを形成してある。
【００２９】
なお、つまみ２０とつまみシャフト２１との間には、インジケーター２２（組付け支持プレート２９、節度用アーム３０、後述）をまたがって、つまみシャフト２１との係合一体化を可能とするキー２６（図６）およびキー溝２７（図７）を形成している。
【００３０】
インジケーター２２は、つまみシャフト２１およびつまみ２０が相対的に回転可能に組み付けてあるとともに、選択ホイール１３の軸方向に延びてつまみシャフト２１およびつまみ２０とは一体的に軸方向へ移動可能としている。
インジケーター２２は、見出し枠２８と、組付け支持プレート２９と、節度用係脱凹部２４に係脱する左右一対の節度用アーム３０と、を設けている。
【００３１】
見出し枠２８は、つまみシャフト２１およびつまみ２０と選択ホイール１３の軸方向に一体的に移動可能であるとともに軸方向に延びる。
見出し枠２８は、印字器フレーム８において選択ホイール１３の軸方向に横断して設けたもので、つまみ２０の軸方向操作により枠挿通孔３１（図４）に出没するように支持されるとともに、とくに図３および図６に示すように、複数枚の選択ホイール１３全体（全列）を見ることができる長矩形状の見出し文字用窓２８Ａを有し、見出し文字用窓２８Ａの一部すなわち、つまみシャフト２１の駆動突起２５の部位に位置して、一列分を指し示す印字合わせ用矢印２８Ｂを見出し文字用窓２８Ａ内方に突出形成している。
【００３２】
組付け支持プレート２９は、見出し枠２８の基部からつまみシャフト２１の軸方向に直交する方向に延びているとともに、つまみ２０とつまみシャフト２１との間に位置しており、つまみシャフト２１が組付け支持プレート２９のシャフト挿通孔２９Ａに相対的に回転可能に係合する。
【００３３】
節度用アーム３０は、組付け支持プレート２９と同様に、見出し枠２８の基部からつまみシャフト２１の軸方向に直交する方向に延びているとともに組付け支持プレート２９と一体に形成している円弧状部材であって、組付け支持プレート２９よりつまみ２０側に位置し、組付け支持プレート２９がつまみシャフト２１から節度用アーム３０を隔離している。
節度用アーム３０の先端部に形成した節度用係脱凸部３０Ａ（節度用係脱部）が、つまみ２０の節度用係脱凹部２４に弾性的に係脱する。
なお、節度用係脱部としての節度用係脱凹部２４および節度用係脱凸部３０Ａの凹凸形状は、図示の例とは互いに逆の構成であってもよい。
【００３４】
選択ホイール１３は、印字用エンドレスバンド９の内側に位置して複数列にこれを配列してあり、選択ホイール１３と印字受け台兼用節度コマ１４との間に掛け回した印字用エンドレスバンド９により前記ラベル片７（図１）への印字を可能としている。
【００３５】
印字受け台兼用節度コマ１４は、とくに図４に示すように、選択ホイール１３および印字用エンドレスバンド９とともに五列分にこれを設けているもので、断面正方形状であって、印字器フレーム８に掛け渡した印字受けピン３２のまわりに回転可能であって、その各辺にバンド係合溝１４Ａを形成している。
印字受け台兼用節度コマ１４は、節度押圧部材３３およびコマ用スプリング３４により回転抑制可能にこれを付勢し、操作部材１２による選択ホイール１３すなわち印字用エンドレスバンド９の回転操作時に、節度用アーム３０の節度用係脱凸部３０Ａおよびつまみ２０の節度用係脱凹部２４とともに回転節度を得るようにしている。
【００３６】
印字用エンドレスバンド９は、その外周まわりに複数個の印字文字９Ａおよびこれら印字文字９Ａに対応した見出し文字９Ｂをその外周まわりにそれぞれの領域に分けて形成しているとともに、選択ホイール１３の外周係合溝１３Ｂおよび印字受け台兼用節度コマ１４のバンド係合溝１４Ａにそれぞれ係合する駆動用突起部９Ｃをその内周まわりに形成している。
【００３７】
なおとくに図４に示すように、印字器フレーム８には、複数列の選択ホイール１３を下方側（インジケーター２２とは反対側）から選択ホイール１３を回転可能に支持するホイール支持プレート３５を設けている。
【００３８】
こうした構成の印字器４および印字選択装置１１において、所望の列における所望の印字文字９Ａを選択する操作について説明する。
とくに図３に示すように、つまみ２０から一番奥側（図３中、左側）の列の選択ホイール１３（印字用エンドレスバンド９）を選択して印字用エンドレスバンド９の印字文字９Ａを回転選択する場合には、つまみ２０を選択ホイール１３の軸方向に最奥部まで押し込んで見出し枠２８の印字合わせ用矢印２８Ｂをこの列に合わせることにより、つまみシャフト２１の駆動突起２５を対応する選択ホイール１３の内周係合溝１３Ａに合わせて、列の選択操作（すなわち、割出し操作）を行うことができる。なお、駆動突起２５は、それぞれの選択ホイール１３における内周係合溝１３Ａが軸方向に揃っているので、軸方向への移動には支障ない。
なお、節度用付勢部材１５のスチールボール１７（図２）がつまみシャフト２１の節度用凹部２１Ａに係脱するので、操作者は、つまみ２０（つまみシャフト２１）から軸方向の節度を直接受けることができる。
【００３９】
選択した列において、つまみ２０（つまみシャフト２１）を回転可能であり、選択した選択ホイール１３を駆動突起２５が回転させ、すなわち、印字用エンドレスバンド９を回転させることができる。
また、回転時に印字受け台兼用節度コマ１４も必要な数だけ回転するので、所望の印字文字９Ａをインキローラー５に対向させることができる。
【００４０】
このつまみ２０の回転操作の際に、印字選択装置１１における操作部材１２のつまみ２０の節度用係脱凹部２４に左右一対の節度用アーム３０の節度用係脱凸部３０Ａが弾性的に係脱することになるが、作業者の指に一番近いつまみ２０の部分で回転節度ないし節度感をより確実に感受することができ、操作性は良好である。
しかも、左右一対の節度用アーム３０は、組付け支持プレート２９により一体支持されているとともに、つまみシャフト２１も組付け支持プレート２９により組み付け支持されているため、つまみ２０の回転操作にともなう節度用アーム３０の係脱動作につまみシャフト２１の組付け構造が影響されることなく、操作部材１２として安定した機能を発揮可能である。
【００４１】
なお、つまみ２０の回転操作にともなう節度用アーム３０と節度用係脱凹部２４との間の係脱動作により、インジケーター２２の見出し枠２８が時計方向あるいは反時計方向いずれかの回転方向に外力を受けることになるが、見出し枠２８自体が印字器フレーム８の枠挿通孔３１内に挿通可能に嵌め込まれているため、見出し枠２８がずれるおそれはない。
【００４２】
さらに、節度用係脱凹部２４および節度用係脱凸部３０Ａの間の係脱動作は、つまみ２０の側面における側面内方収容空間２３内で行われるので、作業者にとって安全であるとともに、当該係脱動作が外部から不測の外力ないし影響を受けることを防止可能である。
【００４３】
他の列の選択ホイール１３（印字用エンドレスバンド９）を選択する場合も、上述と同様に、つまみ２０（つまみシャフト２１）を選択ホイール１３の軸方向に移動操作した上で、つまみ２０を回転操作すればよく、同じく確実な節度感を得ることができる。
【符号の説明】
【００４４】
１  携帯式ラベル印字貼付け機（図１）
２  ハンドル
３  操作レバー
４  印字器
５  インキローラー
６  ラベル連続体
７  ラベル片
８  印字器フレーム
９  印字用エンドレスバンド（印字文字担持体）
９Ａ  印字用エンドレスバンド９の印字文字
９Ｂ  印字用エンドレスバンド９の見出し文字
９Ｃ  印字用エンドレスバンド９の駆動用突起部
１０  固定情報印字用スタンプ
１１  印字器４の印字選択装置（実施例、図７）
１２  操作部材
１３  選択ホイール
１３Ａ  選択ホイール１３の内周係合溝
１３Ｂ  選択ホイール１３の外周係合溝
１４  印字受け台部兼用節度コマ
１４Ａ  印字受け台部兼用節度コマ１４のバンド係合溝
１５  節度用付勢部材
１６  節度用コイルスプリング
１７  スチールボール
１８  見出し窓部
１９  インキローラー対向開口部
２０  つまみ
２１  つまみシャフト
２１Ａ  つまみシャフト２１の節度用凹部
２２  インジケーター
２３  側面内方収容空間
２４  つまみ２０の節度用係脱凹部（節度用係脱部）
２５  駆動突起
２６  キー
２７  キー溝
２８  見出し枠
２８Ａ  見出し枠２８の見出し文字用窓
２８Ｂ  見出し枠２８の印字合わせ用矢印
２９  組付け支持プレート
２９Ａ  組付け支持プレート２９のシャフト挿通孔
３０  節度用アーム
３０Ａ  節度用アーム３０の節度用係脱凸部（節度用係脱部）
３１  枠挿通孔
３２  印字受けピン
３３  節度押圧部材
３４  コマ用スプリング
３５  ホイール支持プレート
【図１】
2015229299.tif 000003
【図２】
2015229299.tif 000004
【図３】
2015229299.tif 000005
【図４】
2015229299.tif 000006
【図５】
2015229299.tif 000007
【図６】
2015229299.tif 000008
【図７】
2015229299.tif 000009
【図８】
2015229299.tif 000010
【図９】
2015229299.tif 000011